(57)【特許請求の範囲】
【請求項１】
２相以上の相巻線を有する電機子巻線と、
整流素子によって構成された上アームと下アームからなる直列回路を、２相以上の前記相巻線のそれぞれに対応するように複数備えてブリッジ回路を構成するとともに、ダイオードが並列接続されたスイッチング素子によって下アームの前記整流素子を形成し、前記電機子巻線の誘起電圧を整流するスイッチング部と、
前記電機子巻線に備わった２相以上の相巻線のそれぞれに対応しており、前記スイッチング素子のオンオフを制御する制御部と、
前記電機子巻線に備わった２相以上の相巻線のそれぞれに対応しており、前記直列回路の出力電圧を監視し、前記出力電圧が第１のしきい値電圧を超えたときに、この直列回路に含まれる前記下アームを構成する前記スイッチング素子をオンする指示を前記制御部に対して行い、前記第１のしきい値電圧を超えた後に前記出力電圧が前記第１のしきい値電圧よりも低い第２のしきい値電圧よりも低くなったときに、サージ電圧の発生の抑制に適したタイミングの到来を待って、前記下アームを構成する前記スイッチング素子をオフする指示を前記制御部に対して行うロードダンプ保護判定部と、
を備え、前記サージ電圧の発生を抑制するタイミングは、前記下アームを構成する前記スイッチング素子がオンされたときに、このスイッチング素子に接続された相巻線からこのスイッチング素子に電流が流れるタイミング以外のタイミングであることを特徴とする車両用発電機。
【請求項２】
２相以上の相巻線を有する電機子巻線と、
整流素子によって構成された上アームと下アームからなる直列回路を、２相以上の前記相巻線のそれぞれに対応するように複数備えてブリッジ回路を構成するとともに、ダイオードが並列接続されたスイッチング素子によって下アームの前記整流素子を形成し、前記電機子巻線の誘起電圧を整流するスイッチング部と、
前記電機子巻線に備わった２相以上の相巻線のそれぞれに対応しており、前記スイッチング素子のオンオフを制御する制御部と、
前記電機子巻線に備わった２相以上の相巻線のそれぞれに対応しており、前記直列回路の出力電圧を監視し、前記出力電圧が第１のしきい値電圧を超えたときに、この直列回路に含まれる前記下アームを構成する前記スイッチング素子をオンする指示を前記制御部に対して行い、前記第１のしきい値電圧を超えた後に前記出力電圧が前記第１のしきい値電圧よりも低い第２のしきい値電圧よりも低くなったときに、サージ電圧の発生の抑制に適したタイミングの到来を待って、前記下アームを構成する前記スイッチング素子をオフする指示を前記制御部に対して行うロードダンプ保護判定部と、
を備え、前記サージ電圧の発生を抑制するタイミングは、前記下アームを構成する前記スイッチング素子がオンされたときに、このスイッチング素子からこのスイッチング素子に接続された相巻線に電流が流れるタイミングであることを特徴とする車両用発電機。
【請求項３】
請求項１または２において、
前記ロードダンプ保護判定部は、前記出力電圧が第１のしきい値電圧を超えたことを検出した後、サージ電圧の発生の抑制に適したタイミングの到来を待って、前記下アームを構成する前記スイッチング素子をオンする指示を前記制御部に対して行うことを特徴とする車両用発電機。
【請求項４】
請求項１〜３のいずれかにおいて、
前記スイッチング素子はＭＯＳトランジスタであり、
前記ロードダンプ保護判定部は、前記ＭＯＳトランジスタのソース・ドレイン間電圧を検出するＭＯＳ電圧検出部と、この検出したソース・ドレイン間電圧に基づいて、このＭＯＳトランジスタをオンしたときにこのＭＯＳトランジスタを介して流れる電流の向きを検出する通電方向検出部と、前記通電方向検出部による検出結果に基づいて前記サージ電圧の発生を抑制するタイミングを判定するタイミング判定部とを備えることを特徴とする車両用発電機。
【請求項５】
請求項４において、
前記サージ電圧の発生を抑制するタイミングは、ソース側を基準とした前記ＭＯＳトランジスタのソース・ドレイン間電圧が０Ｖ以下になるタイミングであることを特徴とする車両用発電機。
【請求項６】
請求項５において、
前記サージ電圧の発生を抑制するタイミングは、ソース側を基準とした前記ＭＯＳトランジスタのソース・ドレイン間電圧が０Ｖ以下になってから所定期間遅らせたタイミングであることを特徴とする車両用発電機。
【請求項７】
請求項６において、
前記所定期間は、前記相巻線の誘起電圧の周期の１／４に対応する期間であることを特徴とする車両用発電機。
【請求項８】
請求項１または２において、
前記サージ電圧の発生を抑制するタイミングは、前記出力電圧が前記第１のしきい値電圧を超えて前記下アームを構成する前記スイッチング素子がオンされた後に、このスイッチング素子を流れる電流の向きが、相巻線からこのスイッチング素子に流れ込む向きからこのスイッチング素子から相巻線に向けて流れ出す向きに変化するタイミングの周期に同期したタイミングであることを特徴とする車両用発電機。
【請求項９】
請求項１または２において、
前記ロードダンプ保護判定部は、サージ電圧の発生の抑制に適したタイミングの到来を検出できなかったときに、強制的に前記下アームを構成する前記スイッチング素子をオフする指示を前記制御部に対して行うことを特徴とする車両用発電機。
【請求項１０】
請求項９において、
前記強制的に指示を行うタイミングは、前記第１のしきい値電圧を超えた後に前記出力電圧が前記第１のしきい値電圧よりも低い第２のしきい値電圧よりも低くなってから所定時間経過したときであることを特徴する車両用発電機。
【請求項１１】
請求項１０において、
前記所定時間は、可変値であることを特徴とする車両用発電機。
【請求項１２】
請求項１０において、
前記所定時間は、固定値であることを特徴とする車両用発電機。
【請求項１３】
請求項１１において、
前記所定時間は、低回転時に長く、高回転時に短い値に設定されることを特徴とする車両用発電機。
【請求項１４】
請求項１３において、
前記ロードダンプ保護判定部は、回転数の高低を前記相巻線の電圧に基づいて検出することを特徴とする車両用発電機。
【請求項１５】
請求項１１において、
前記所定時間は、前記出力電圧が第１のしきい値電圧を超えて前記下アームを構成する前記スイッチング素子をオンする指示が出される前に、回転子の界磁極を磁化する界磁巻線に流れる励磁電流が多いときに短く、少ないときに長い値に設定されることを特徴とする車両用発電機。
【発明の詳細な説明】
【技術分野】
【０００１】
本発明は、乗用車やトラック等に搭載される車両用発電機に関する。
【背景技術】
【０００２】
車両用発電機は、出力端子に接続された充電線を介してバッテリや各種の電気負荷に充電電力や動作電力を供給している。この車両用発電機の発電動作時に出力端子やバッテリ端子が外れると、ロードダンプと称される過渡的な高電圧が発生する。このとき発生する電圧は、出力電流等にもよるが場合によっては１００Ｖ以上に達することがある。このようにして発生する高電圧は、電気負荷や車両用発電機内の各種素子の破損の原因になるため、何らかの対策が必要になる。このような対策を行う従来技術としては、例えば車両用発電機のブリッジ回路のローサイド素子をＭＯＳトランジスタで構成し、ロードダンプ発生時に車両用発電機の相電圧が基準電圧を超えたときにこれらのＭＯＳトランジスタをオンすることにより、高電圧の発生を抑制する保護動作を行うようにした車両用発電機が知られている（例えば、特許文献１参照。）。この車両用発電機では、ブリッジ回路のローサイド素子としての各ＭＯＳトランジスタをオンすることで相電圧が再び基準電圧以下になると、各ＭＯＳトランジスタは再びオフされ、ブリッジ回路による通常の整流動作が再開されるようになっている。
【０００３】
また、ロードダンプ発生時の高電圧を抑制する他の従来技術として、高電圧検出時に上アーム側（ハイサイド側）および下アーム側（ローサイド側）のそれぞれのパワーＭＯＳＦＥＴの制御モードを逆位相に変更するようにした車両用発電機が知られている（例えば、特許文献２参照。）。ロードダンプ発生時の高電圧が解消されると、制御モードが逆位相から通常状態に戻される。
【先行技術文献】
【特許文献】
【０００４】
【特許文献１】特開平９−２１９９３８号公報（第５−９頁、図１−１４）
【特許文献２】特開２００３−２４４８６４号公報（第４−１０頁、図１−１６）
【発明の概要】
【発明が解決しようとする課題】
【０００５】
ところで、特許文献１に開示された車両用発電機では、相電圧が基準電圧を超えたときにローサイド素子としてのＭＯＳトランジスタがオンされるためこの相電圧が一時的に低下し、この相電圧が別の基準電圧以下になるとＭＯＳトランジスタが再びオンされる。このＭＯＳトランジスタのオン／オフは、Ｇパルス電圧のエネルギーが十分消耗するまで繰り返されることになる。このように、ＭＯＳトランジスタのオン／オフを繰り返すということは、このＭＯＳトランジスタに接続されたステータコイルに流れている電流を遮断することになるため、このステータコイルに高電圧が発生し、この高電圧が基準電圧を超える原因にもなるため、高電圧の発生を迅速に終わらせることができないという問題があった。また、特許文献１に開示された車両用発電機では、相電圧が基準電圧を超えたときにローサイド素子としてのＭＯＳトランジスタが整流動作の周期に比べて高速にオン／オフされるため、Ｇパルス電圧のエネルギーが十分消耗するまでに時間がかかるという問題があり、この点でも高電圧の発生を迅速に終わらせることができなかった。さらに、各相電圧の高低を判定するために共通の定電圧回路が用いられているため、この定電圧回路が故障すると全ての相電圧の高低判定が行えなくなり、保護動作の信頼性が低下するという問題があった。
【０００６】
また、特許文献２に開示された車両用発電機では、ロードダンプ発生時に保護動作に入るとき、あるいは保護動作を解除するときに、上アームと下アームの各パワーＭＯＳＦＥＴのオンオフ状態を切り替えているため、これらのパワーＭＯＳＦＥＴが接続されたステータコイルに電流が流れていると切り替え時にサージ電圧が発生するという問題があった。特に、上アームと下アームの各パワーＭＯＳＦＥＴのオン／オフの切り替えタイミングは素子毎に多少のばらつきがあり、同時にオフされる場合にはステータコイルに流れている電流を遮断することになるため、高いサージ電圧が発生することになる。また、このような保護動作を実施するために、各相巻線に対応する各パワーＭＯＳＦＥＴを逆位相に制御するために共通の制御回路や基準電圧回路を用いているため、これらの回路が故障すると保護動作が一切行えないことになり、保護動作の信頼性が低下するという問題があった。
【０００７】
本発明は、このような点に鑑みて創作されたものであり、その目的は、ロードダンプ時の高電圧発生を迅速に終わらせることができる車両用発電機を提供することにある。また、本発明の他の目的は、ロードダンプ発生時に行われる保護動作の信頼性を向上させることができる車両用発電機を提供することにある。
【課題を解決するための手段】
【０００８】
上述した課題を解決するために、本発明の車両用発電機は、２相以上の相巻線を有する電機子巻線と、整流素子によって構成された上アームと下アームからなる直列回路を、２相以上の相巻線のそれぞれに対応するように複数備えてブリッジ回路を構成するとともに、ダイオードが並列接続されたスイッチング素子によって下アームの整流素子を形成し、電機子巻線の誘起電圧を整流するスイッチング部と、電機子巻線に備わった２相以上の相巻線のそれぞれに対応しており、スイッチング素子のオンオフを制御する制御部と、電機子巻線に備わった２相以上の相巻線のそれぞれに対応しており、直列回路の出力電圧を監視し、出力電圧が第１のしきい値電圧を超えたときに、この直列回路に含まれる下アームを構成するスイッチング素子をオンする指示を制御部に対して行い、第１のしきい値電圧を超えた後に出力電圧が第１のしきい値電圧よりも低い第２のしきい値電圧よりも低くなったときに、サージ電圧の発生の抑制に適したタイミングの到来を待って、下アームを構成するスイッチング素子をオフする指示を制御部に対して行うロードダンプ保護判定部とを備えている。
【０００９】
ロードダンプ発生時に下アームのスイッチング素子をオンすることでロードダンプ時の高電圧の発生を防止する保護動作を行う場合であって、高電圧の発生が抑制された後に保護動作を解除する動作を、サージ電圧の発生の抑制に適したタイミングの到来を待って行うことにより、サージ電圧が発生するタイミングを避けて通常の整流動作を再開することができ、ロードダンプ時の高電圧発生を迅速に終わらせることが可能となる。また、上アームと下アームからなる直列回路の出力電圧が低下するまで下アームのスイッチング素子のオン状態が維持されるため、このスイッチング素子が頻繁にオン／オフを繰り返すことがなく、オン／オフの繰り返しに伴う高電圧の発生がなく、しかも、相巻線に発生したエネルギーを速やかに消滅させることができ、ロードダンプ時の高電圧発生を迅速に終わらせることができる。さらに、保護動作およびその解除動作を行うために必要な構成が各相巻線毎に設けられているため、いずれかの相巻線に対応する構成に不具合が発生した場合であっても他の相巻線に対応する構成を用いて保護動作を行うことができ、保護動作の信頼性を向上させることができる。なお、各相毎に出力電圧等が検出されて保護動作への移行やその解除動作が行われるため、各相毎にしきい値がばらついたとしても、早く過電圧を検出した相から保護動作へ移行することになる。このことは、仮に全相同時に保護動作に移行した場合は必要以上に大きな還流電流が下アームのスイッチング素子を介して流れることになるため、むしろ好ましいといえる。
【００１０】
また、上述したロードダンプ保護判定部は、出力電圧が第１のしきい値電圧を超えたことを検出した後、サージ電圧の発生の抑制に適したタイミングの到来を待って、下アームを構成するスイッチング素子をオンする指示を制御部に対して行うことが望ましい。これにより、保護動作解除時だけでなく、保護動作に移行する際についても、サージ電圧が発生するタイミングを避けて保護動作を行うことが可能となる。
【００１１】
また、上述したサージ電圧の発生を抑制するタイミングは、下アームを構成するスイッチング素子がオンされたときに、このスイッチング素子に接続された相巻線からこのスイッチング素子に電流が流れるタイミング以外のタイミングである。特に、上述したサージ電圧の発生を抑制するタイミングは、下アームを構成するスイッチング素子がオンされたときに、このスイッチング素子からこのスイッチング素子に接続された相巻線に電流が流れるタイミングである。これにより、オンオフ状態が切り替わるスイッチング素子に接続された相巻線に流れる電流の遮断や急変を防止することができ、相巻線に高いサージ電圧が発生することを抑制することができる。
【００１２】
また、上述したスイッチング素子はＭＯＳトランジスタであり、ロードダンプ保護判定部は、ＭＯＳトランジスタのソース・ドレイン間電圧を検出するＭＯＳ電圧検出部と、この検出したソース・ドレイン間電圧に基づいて、このＭＯＳトランジスタをオンしたときにこのＭＯＳトランジスタを介して流れる電流の向きを検出する通電方向検出部と、通電方向検出部による検出結果に基づいてサージ電圧の発生を抑制するタイミングを判定するタイミング判定部とを備えることが望ましい。ＭＯＳトランジスタはオン時においても所定のソース・ドレイン間電圧を有するため、この電圧を検出して電流の向きを検出することが可能となり、サージ電圧の発生を抑制するタイミングを確実に判定することができる。
【００１３】
また、上述したサージ電圧の発生を抑制するタイミングは、ソース側を基準としたＭＯＳトランジスタのソース・ドレイン間電圧が０Ｖ以下になるタイミングであることが望ましい。これにより、ＭＯＳトランジスタを通して流れる電流の向きを確実かつ容易に判定することができる。また、ＭＯＳトランジスタと直列に電流検出用のシャント抵抗を追加する必要がなくなるため、シャント抵抗による損失がなく、その分通常発電時の発電効率を上げることができる。
【００１４】
また、上述したサージ電圧の発生を抑制するタイミングは、ソース側を基準としたＭＯＳトランジスタのソース・ドレイン間電圧が０Ｖ以下になってから所定期間遅らせたタイミングであることが望ましい。特に、上述した所定期間は、相巻線の誘起電圧の周期の１／４に対応する期間であることが望ましい。回路のＬＣ成分により、検出している電圧と電流の間には位相のずれが生じることがある。具体的には、ソース・ドレイン間電圧が０Ｖでも電流は０Ａ以上である場合がある。このような場合であっても、確実にソースからドレインに電流が流れるタイミングで保護動作の解除を行うことが可能となる。
【００１５】
また、上述したサージ電圧の発生を抑制するタイミングは、出力電圧が第１のしきい値電圧を超えて下アームを構成するスイッチング素子がオンされた後に、このスイッチング素子を流れる電流の向きが、相巻線からこのスイッチング素子に流れ込む向きからこのスイッチング素子から相巻線に向けて流れ出す向きに変化するタイミングの周期に同期したタイミングであることが望ましい。これにより、出力電圧が低下してスイッチング素子を流れる電流が少なくなった場合であっても、サージ電圧の発生を抑制可能なタイミングで確実に保護動作を解除することができる。
【００１６】
また、上述したロードダンプ保護判定部は、サージ電圧の発生の抑制に適したタイミングの到来を検出できなかったときに、強制的に下アームを構成するスイッチング素子をオフする指示を制御部に対して行うことが望ましい。サージ電圧の発生の抑制に適したタイミングの到来を検出できなかった場合（例えば、スイッチング素子をＭＯＳトランジスタで構成する場合にこのＭＯＳトランジスタに流れる電流が少ない場合）には強制的にスイッチング素子がオフされて保護動作が解除されるが、このような場合には、どのタイミングでスイッチング素子をオフしても遮断する電流が少ないため、大きなサージ電圧が発生することはなく、結果的にサージ電圧の発生を抑制してロードダンプ時の高電圧発生を迅速に終わらせることが可能となる。また、強制的にスイッチング素子をオフすることにより、早期に保護動作を終了させて発電動作（整流動作）を再開することができるため、発電効率の向上にもつながる。
【００１７】
また、上述した強制的に指示を行うタイミングは、第１のしきい値電圧を超えた後に出力電圧が第１のしきい値電圧よりも低い第２のしきい値電圧よりも低くなってから所定時間経過したときであることが望ましい。保護動作を強制的に解除するタイミングを所定時間後とすることにより、確実に保護動作を終わらせて通常の整流動作に移行することができる。
【００１８】
また、上述した所定時間は、可変値であることが望ましい。所定時間を可変値とすることにより、その時点の状況における適正値を用いることが可能となる。あるいは、上述した所定時間は、固定値であることが望ましい。所定時間を固定値とすることにより、所定時間経過のタイミング判定が容易となる。
【００１９】
また、上述した所定時間は、低回転時に長く、高回転時に短い値に設定することが望ましい。サージ電圧の発生の抑制に適したタイミングは回転数に対応した周期で到来するため、回転数に応じて所定時間の長短を設定することにより、回転数を考慮した短い時間設定が可能となり、早期に保護動作を終了させることができる。
【００２０】
また、上述したロードダンプ保護判定部は、回転数の高低を相巻線の電圧に基づいて検出することが望ましい。これにより、回転数検出のために部品を追加したり、励磁電流を制御する発電制御装置等との間で信号の入出力を行う必要がなくなるため、構成や配線の簡略化や小型化が可能となる。
【００２１】
また、上述した所定時間は、出力電圧が第１のしきい値電圧を超えて下アームを構成するスイッチング素子をオンする指示が出される前に、回転子の界磁極を磁化する界磁巻線に流れる励磁電流が多いときに短く、少ないときに長い値に設定することが望ましい。保護動作に入る前の励磁電流が多いということはそれだけロードダンプ時に発生するエネルギーも大きい。したがって、相巻線に流れる電流も多くなり、サージ電圧の発生の抑制に適したタイミングを検出しやすくなると考えられる。反対に、保護動作に入る前の励磁電流が少ないということはそれだけロードダンプ時に発生するエネルギーが少なく、サージ電圧の発生の抑制に適したタイミングを検出しにくくなる。これらを考慮し、励磁電流に応じて所定時間の長短を設定することにより、励磁電流を考慮した短い時間設定が可能となり、早期に保護動作を終了させることができる。
【図面の簡単な説明】
【００２２】
【図１】一実施形態の車両用発電機の構成を示す図である。
【図２】整流器モジュールの構成を示す図である。
【図３】制御回路の詳細構成を示す図である。
【図４】ロードダンプ発生時に保護動作に移行し、その後、再度通常の整流動作に復帰する遷移状態を示す図である。
【図５】車両用発電機の相電圧を示す図である。
【図６】ロードダンプ保護判定部の構成を示す図である。
【図７】出力電圧としきい値電圧判定部による判定結果との関係を示す図である。
【図８】ソース・ドレイン間電圧と参照電圧との関係を示す図である。
【図９】１つの整流器モジュールのみが保護動作に移行した場合のＭＯＳ電圧検出部の出力の具体例を示す図である。
【図１０】強制的に保護動作を解除するロードダンプ保護判定部の変形例を示す図である。
【図１１】ロードダンプ保護判定部の他の変形例を示す図である。
【図１２】ロードダンプ保護判定部の他の変形例を示す図である。
【図１３】ロードダンプ保護判定部の他の変形例を示す図である。
【図１４】同期整流に必要な制御回路を整流器モジュール群毎に設けるようにした変形例の構成を示す図である。
【図１５】２つの固定子巻線のそれぞれ毎に共通の保護回路を設けるようにした変形例の構成を示す図である。
【発明を実施するための形態】
【００２３】
以下、本発明を適用した一実施形態の車両用発電機について、図面を参照しながら説明する。図１は、一実施形態の車両用発電機の構成を示す図である。図１に示すように、本実施形態の車両用発電機１は、２つの固定子巻線（電機子巻線）２、３、界磁巻線４、２つの整流器モジュール群５、６、発電制御装置７を含んで構成されている。２つの整流器モジュール群５、６がスイッチング部に対応する。
【００２４】
一方の固定子巻線２は、多相巻線（例えばＸ相巻線、Ｙ相巻線、Ｚ相巻線からなる三相巻線）であって、固定子鉄心（図示せず）に巻装されている。同様に、他方の固定子巻線３は、多相巻線（例えばＵ相巻線、Ｖ相巻線、Ｗ相巻線からなる三相巻線）であって、上述した固定子鉄心に、固定子巻線２に対して電気角で３０度ずらした位置に巻装されている。本実施形態では、これら２つの固定子巻線２、３と固定子鉄心によって固定子が構成されている。
【００２５】
界磁巻線４は、固定子鉄心の内周側に対向配置された界磁極（図示せず）に巻装されて回転子を構成している。励磁電流を流すことにより、界磁極が磁化される。界磁極が磁化されたときに発生する回転磁界によって固定子巻線２、３が交流電圧を発生する。
【００２６】
一方の整流器モジュール群５は、一方の固定子巻線２に接続されており、全体で三相全波整流回路（ブリッジ回路）が構成され、固定子巻線２に誘起される交流電流を直流電流に変換する。この整流器モジュール群５は、固定子巻線２の相数に対応する数（三相巻線の場合には３個）の整流器モジュール５Ｘ、５Ｙ、５Ｚを備えている。整流器モジュール５Ｘは、固定子巻線２に含まれるＸ相巻線に接続されている。整流器モジュール５Ｙは、固定子巻線２に含まれるＹ相巻線に接続されている。整流器モジュール５Ｚは、固定子巻線２に含まれるＺ相巻線に接続されている。
【００２７】
他方の整流器モジュール群６は、一方の固定子巻線３に接続されており、全体で三相全波整流回路（ブリッジ回路）が構成され、固定子巻線３に誘起される交流電流を直流電流に変換する。この整流器モジュール群６は、固定子巻線３の相数に対応する数（三相巻線の場合には３個）の整流器モジュール６Ｕ、６Ｖ、６Ｗを備えている。整流器モジュール６Ｕは、固定子巻線３に含まれるＵ相巻線に接続されている。整流器モジュール６Ｖは、固定子巻線３に含まれるＶ相巻線に接続されている。整流器モジュール６Ｗは、固定子巻線３に含まれるＷ相巻線に接続されている。
【００２８】
発電制御装置７は、界磁巻線４に流す励磁電流を制御する励磁制御回路であって、励磁電流を調整することにより車両用発電機１の出力電圧（各整流器モジュールの出力電圧）が調整電圧Ｖreg になるように制御する。例えば、発電制御装置７は、出力電圧が調整電圧Ｖreg よりも高くなったときに界磁巻線４への励磁電流の供給を停止し、出力電圧が調整電圧Ｖreg よりも低くなったときに界磁巻線４に励磁電流の供給を行うことにより、出力電圧が調整電圧Ｖreg になるように制御する。また、発電制御装置７は、通信端子および通信線を介してＥＣＵ８（外部制御装置）と接続されており、ＥＣＵ８との間で双方向のシリアル通信（例えば、ＬＩＮ（Local Interconnect Network）プロトコルを用いたＬＩＮ通信）を行い、通信メッセージを送信あるいは受信する。
【００２９】
本実施形態の車両用発電機１はこのような構成を有しており、次に、整流器モジュール５Ｘ等の詳細について説明する。
【００３０】
図２は、整流器モジュール５Ｘの構成を示す図である。なお、他の整流器モジュール５Ｙ、５Ｚ、６Ｕ、６Ｖ、６Ｗも同じ構成を有している。図２に示すように、整流器モジュール５Ｘは、２つのＭＯＳトランジスタ５０、５１、制御回路５４を備えている。ＭＯＳトランジスタ５０は、ソースが固定子巻線２のＸ相巻線に接続され、ドレインが充電線１２を介してを電気負荷１０やバッテリ９の正極端子に接続された上アーム（ハイサイド側）のスイッチング素子である。ＭＯＳトランジスタ５１は、ドレインがＸ相巻線に接続され、ソースがバッテリ９の負極端子（アース）に接続された下アーム（ローサイド側）のスイッチング素子である。これら２つのＭＯＳトランジスタ５０、５１からなる直列回路がバッテリ９の正極端子と負極端子の間に配置され、これら２つのＭＯＳトランジスタ５０、５１の接続点にＸ相巻線が接続されている。また、ＭＯＳトランジスタ５０、５１のそれぞれのソース・ドレイン間にはダイオードが並列接続されている。このダイオードはＭＯＳトランジスタ５０、５１の寄生ダイオード（ボディダイオード）によって実現されるが、別部品としてのダイオードをさらに並列接続するようにしてもよい。なお、上アームおよび下アームの少なくとも一方を、ＭＯＳトランジスタ以外のスイッチング素子を用いて構成するようにしてもよい。
【００３１】
図３は、制御回路５４の詳細構成を示す図である。図３に示すように、制御回路５４は、制御部１００、電源１０２、バッテリ電圧検出部１１０、動作検出部１２０、１３０、ロードダンプ保護判定部１４０、温度検出部１５０、ドライバ１７０、１７２、通信回路１８０を備えている。
【００３２】
電源１０２は、エンジン始動に伴って固定子巻線２のＸ相巻線に所定の相電圧が発生したときに動作を開始し、制御回路５４に含まれる各素子に動作電圧を供給する。この動作自体は、発電制御装置７において従来から行われている動作と同じであり、同じ技術を用いて実現することができる。
【００３３】
ドライバ１７０は、出力端子（Ｇ１）がハイサイド側のＭＯＳトランジスタ５０のゲートに接続されており、ＭＯＳトランジスタ５０をオンオフする駆動信号を生成する。同様に、ドライバ１７２は、出力端子（Ｇ２）がローサイド側のＭＯＳトランジスタ５１のゲートに接続されており、ＭＯＳトランジスタ５１をオンオフする駆動信号を生成する。
【００３４】
バッテリ電圧検出部１１０（バッテリ電圧検出手段）は、差動増幅器とその出力をデジタルデータに変換するアナログ−デジタル変換器（ＡＤ）によって構成されており、車両用発電機１の出力端子と充電線１２を介して接続されたバッテリ９の正極端子の電圧に対応するデータを出力する。
【００３５】
動作検出部１２０は、差動増幅器とその出力をデジタルデータに変換するアナログ−デジタル変換器（ＡＤ）によって構成されており、ハイサイド側のＭＯＳトランジスタ５０のソース・ドレイン間電圧（図２、図３のＢ−Ｃ端子間電圧）に対応するデータを出力する。制御部１００は、このデータに基づいて、ドライバ１７０の駆動状態に対応するＭＯＳトランジスタ５０の動作状態を監視し、適宜ＭＯＳトランジスタ５０の制御や故障検知を行う。
【００３６】
動作検出部１３０は、差動増幅器とその出力をデジタルデータに変換するアナログ−デジタル変換器（ＡＤ）によって構成されており、ローサイド側のＭＯＳトランジスタ５１のソース・ドレイン間電圧（図２、図３のＣ−Ｄ端子間電圧）に対応するデータを出力する。制御部１００は、このデータに基づいて、ドライバ１７２の駆動状態に対応するＭＯＳトランジスタ５１の動作状態を監視し、適宜ＭＯＳトランジスタ５１の制御や故障検知を行う。
【００３７】
ロードダンプ保護判定部１４０は、車両用発電機１（整流器モジュール群５、６）の出力電圧（Ｂ端子電圧）を監視し、Ｂ端子電圧がロードダンプ発生を判定する第１のしきい値電圧Ｖ１（例えば２０Ｖ）を超えた後に保護動作を開始する指示（保護開始指示）を行い、その後、Ｂ端子電圧がこの保護動作によって低下して第１のしきい値電圧Ｖ１よりも低い第２のしきい値電圧Ｖ２（例えば１６．５Ｖ）を下回った後に保護動作を停止して通常の整流動作を再開する指示（整流再開指示）を行う。例えば、このロードダンプ保護判定部１４０は、迅速な処理を行う必要から、各種の能動素子や受動素子を組み合わせたアナログ回路によって構成することが望ましい。制御部１００は、ロードダンプ保護判定部１４０による保護開始／整流再開指示に応じて保護動作や保護動作解除後の整流動作を実行する。ロードダンプ保護判定部１４０の詳細構成および保護動作の詳細については後述する。
【００３８】
温度検出部１５０は、定電流源、ダイオード、差動増幅器とその出力をデジタルデータに変換するアナログ−デジタル変換器（ＡＤ）によって構成されており、温度によって変化するダイオードの順方向電圧降下に対応するデータを出力する。制御部１００は、このデータに基づいて整流器モジュール５Ｘの温度を検出する。
【００３９】
通信回路１８０は、発電制御装置７と同様の通信を行う通信手段であって、発電制御装置７とＥＣＵ８の間を接続する通信端子および通信線に共通に接続されており、ＥＣＵ８や他の整流器モジュールとの間で双方向のシリアル通信（例えば、ＬＩＮプロトコルを用いたＬＩＮ通信）を行い、通信メッセージを送信あるいは受信する。
【００４０】
例えば、通信頻度として、１通信あたり２０ｍｓ程度でＥＣＵ８との間で通信メッセージを送受信しているような場合を考えると、１秒間に５０回の通信を行うことができる。したがって、本実施形態において６個の通信モジュール５Ｘ等を追加してそのための通信メッセージの送受信が増加しても、発電制御装置７とＥＣＵ８との間で発電状態を含む通信メッセージやダイアグ情報等の通信メッセージの送受信を行う発電制御に支障はないといえる。
【００４１】
本実施形態の整流器モジュール５Ｘ等はこのような構成を有しており、次に、ロードダンプ発生時の保護動作と、保護動作から通常の発電（整流）状態に復帰する動作の詳細について説明する。
【００４２】
図４は、ロードダンプ発生時に保護動作に移行し、その後、再度通常の整流動作に復帰する遷移状態を示す図である。図４において、「整流」はロードダンプが発生していない通常時において行われる整流動作を示しており、「保護」はロードダンプ発生時に行われる保護動作を示している。また、図５は、車両用発電機１の相電圧を示す図であり、図５（Ａ）には通常時における相電圧が、図５（Ｂ）にはロードダンプ発生時の相電圧がそれぞれ示されている。
【００４３】
バッテリ９の端子電圧（車両用発電機１の出力電圧）をＶbatt、ＭＯＳトランジスタ５０、５１のオン時のソース・ドレイン間電圧をαとすると、ロードダンプが発生していない通常時には、例えばＸ相巻線の相電圧ＶｘがＶbatt＋αを超えたときにハイサイド側のＭＯＳトランジスタ５０がオンされ、相電圧Ｖｘが−αよりも低下したときにローサイド側のＭＯＳトランジスタ５１がオンされる同期整流が行われる（図５（Ａ））。
【００４４】
このような状態において、車両用発電機１の出力端子と充電線１２との接続、あるいは、バッテリ９の正極端子と充電線１２との接続が外れると、車両用発電機１の固定子巻線２、３の各相電圧が一時的に高くなるロードダンプが発生する（図５（Ｂ））。このときの相電圧ＶLDは、バッテリ９の端子電圧Ｖbattに比べて高くなるため（例えば１００Ｖ以上）、車両用発電機１内の整流器モジュール５Ｘ等や発電制御装置７あるいは各種の電気負荷１０を保護するために、「保護準備」の手順を経た後に保護動作に移行する（図４）。
【００４５】
具体的には、相電圧が第１のしきい値電圧Ｖ１を超えたときに「保護準備」の手順に移行する。この保護準備とは、保護動作に入る最適なタイミングを判定する動作であり、保護動作に入る際のサージ電圧の発生を抑えることができるタイミングに合わせて保護開始指示が行われる。また、定格電圧１２Ｖの鉛蓄電池をバッテリ９として用いる場合を想定すると、第１のしきい値電圧が例えば２０Ｖに設定されている。この第１のしきい値電圧Ｖ１は、電気負荷１０が故障等の異常を生じない値に設定されており、一時的に出力電圧が第１のしきい値電圧まで上昇しても、電気負荷１０は正常動作を維持することができる。
【００４６】
本実施形態では、ロードダンプ発生時に整流器モジュール５Ｘの出力電圧ＶＢ（＝車両用発電機１の出力電圧）が２０Ｖを超えると、ローサイド側のＭＯＳトランジスタ５１がオンされ、同時に、ハイサイド側のＭＯＳトランジスタ５０がオフされて保護動作が実施される。その後、ロードダンプ発生に伴う高電圧が解消するまで、これらのＭＯＳトランジスタ５０、５１のオフ／オン状態が継続される。この保護動作中は、相電圧は、図５（Ｂ）にＶｐで示すように、−αから＋α（−０．１Ｖから＋０．１Ｖ）の範囲を推移するようになる。
【００４７】
ところで、図５においてＡで示される範囲では、保護動作移行前はハイサイド側のＭＯＳトランジスタ５０がオン、ローサイド側のＭＯＳトランジスタ５１がオフされていたため、これら２つのＭＯＳトランジスタ５０、５１のオン／オフを瞬時に入れ替えると、相巻線に大きなサージ電圧が発生するおそれがある。例えば、実際にはＭＯＳトランジスタ５０、５１のオン／オフ切り替えタイミングは素子毎にばらつきがあり、オンされていたハイサイド側のＭＯＳトランジスタ５０をオフするタイミングのみがわずかに早くなると、相巻線に流れていた電流が遮断されるため、大きなサージ電圧が発生する。
【００４８】
また、図５においてＢで示される範囲では、相巻線に電流は流れていないが、ローサイド側のＭＯＳトランジスタ５１ではソースとドレインの電位差が大きく、このＭＯＳトランジスタ５１をオンした際に、瞬間的に大きな相電流が発生するため、この相電流の変化に対抗する大きなサージ電圧が発生する。
【００４９】
このように、図５においてＡ、Ｂで示される範囲にあるときに保護動作に入ると大きなサージ電圧の発生を伴うおそれがあるため、本実施形態では、図５においてＣで示される範囲に含まれることを確認した後に保護動作に入るようにしている。「保護準備」では、Ｃで示される範囲にあるときに、保護動作に入る最適なタイミングであると判定している。
【００５０】
一方、ロードダンプ時に発生した高電圧が解消して保護動作から通常の整流動作に復帰する場合も、同様に間に「復帰準備」の手順を経ている。具体的には、ロードダンプ発生時に高電圧となった整流器モジュール５Ｘの出力電圧が再び低下して第２のしきい値電圧を下回ったときに「復帰準備」の手順に移行する。この復帰準備とは、通常の整流動作に入る最適なタイミングを判定する動作であり、整流動作に入る際のサージ電圧の発生を抑えることができるタイミングに合わせて整流再開指示が行われる。整流再開指示が出されると、制御部１００によってローサイド側のＭＯＳトランジスタ５１がオフされ、その後、制御部１００による通常の整流動作（同期整流の制御動作）が行われる。
【００５１】
ところで、保護動作中はローサイド側のＭＯＳトランジスタ５１が常時オンされており、図５（Ｂ）のＶｐで示される相電圧が発生している。この状態で、ローサイド側のＭＯＳトランジスタをオフするということは、ＡとＢで示された範囲においてはそれまでＭＯＳトランジスタ５１を通して流れていた大きな相電流を遮断することになるため、大きなサージ電圧が発生する。したがって、本実施形態では、上述した「保護準備」の手順と同様に、図５においてＣで示される範囲に含まれることを確認した後に通常の整流動作に入るようにしている。「復帰準備」では、Ｃで示される範囲にあるときに、整流動作に入る最適なタイミングであると判定している。
【００５２】
次に、保護準備動作と復帰準備動作を行うロードダンプ保護判定部１４０の詳細について説明する。図６は、ロードダンプ保護判定部１４０の構成を示す図である。図６に示すように、ロードダンプ保護判定部１４０は、Ｂ電圧検出部１４１、しきい値電圧判定部１４２、ＭＯＳ電圧検出部１４３、通電方向検出部１４４、タイミング判定部１４５、１４６を備えている。
【００５３】
Ｂ電圧検出部１４１は、整流器モジュール５Ｘの出力電圧ＶＢ（車両用発電機１の出力電圧）を検出する。しきい値電圧判定部１４２は、出力電圧ＶＢが第１のしきい値電圧Ｖ１よりも高くなったか否か、一旦第１のしきい値電圧Ｖ１より高くなった出力電圧ＶＢが第２のしきい値電圧よりも低くなったか否かを判定する。
【００５４】
図７は、出力電圧ＶＢとしきい値電圧判定部１４２による判定結果との関係を示す図である。図７において、横軸は出力電圧ＶＢを、縦軸はしきい値電圧判定部１４２の判定結果をそれぞれ示している。図７に示すように、しきい値電圧判定部１４２は、出力電圧ＶＢが高くなって第１のしきい値電圧Ｖ１（例えば２０Ｖ）を超えたときに、出力をローレベル（Ｌ）からハイレベル（Ｈ）に切り替える。また、一旦Ｖ１を超えた出力電圧ＶＢが低くなって第２のしきい値電圧Ｖ２（例えば１６．５Ｖ）よりも低くなったときに、出力をハイレベルからローレベルに切り替える。
【００５５】
ＭＯＳ電圧検出部１４３は、ローサイド側のＭＯＳトランジスタ５１のソース・ドレイン間電圧Ｖds（図２、図３のＣ−Ｄ端子間電圧）を検出する。通電方向検出部１４４は、ＭＯＳ電圧検出部１４３によって検出されたＭＯＳトランジスタ５１のソース・ドレイン間電圧Ｖdsに基づいて、ＭＯＳトランジスタ５１をオンしたときにソース・ドレイン間に流れる電流の向きを判定する。
【００５６】
ロードダンプ発生時であって保護動作に入る前（ローサイド側のＭＯＳトランジスタ５１をオンする前）の状態においては、図５においてＡあるいはＢで示す範囲に対応する相電圧ＶLDは、０Ｖ以上となる。したがって、Ｃで示す範囲にあるか否か（ＭＯＳトランジスタ５１をオンしたときに、このＭＯＳトランジスタ５１に並列接続されたダイオードの順方向と反対方向に電流が流れるか否か）を知りたければ、相電圧ＶLD、すなわちＭＯＳトランジスタ５１のソース・ドレイン間電圧Ｖdsが０Ｖよりも低い所定の基準電圧Ｖref を下回ったか否かを調べればよい。ソース・ドレイン間電圧Ｖdsが基準電圧Ｖref よりも低いということは、相電圧ＶLDが図５においてＣに示す範囲にあることを示しており、この場合には、通電方向検出部１４４の出力がハイレベルになる。
【００５７】
実際には、ＭＯＳ電圧検出部１４３において−０．１〜＋０．１Ｖの範囲の電圧を精度よく検出し、通電方向検出部１４４において０Ｖ近傍の参照電圧Ｖref を用いて精度よく電圧比較を行うことは難しい。このため、ＭＯＳ電圧検出部１４３では、検出したソース・ドレイン間電圧Ｖdsを所定の利得で増幅して電圧レベルを変換した後の電圧Ｖds’を出力し、通電方向検出部１４４はこの電圧Ｖds’を用いて電圧比較を行っている。
【００５８】
図８は、ソース・ドレイン間電圧Ｖds’と参照電圧Ｖref’との関係を示す図である。図８において、縦軸は変換後の電圧Ｖds’を、横軸は変換前のソース・ドレイン間電圧Ｖdsをそれぞれ示している。通電方向検出部１４４において電圧比較を行う範囲は−０．１〜＋０．１Ｖの範囲に含まれるソース・ドレイン間電圧Ｖdsであるため、この範囲が例えば２０倍に増幅されている。図８に示す例では、−０．１Ｖが０Ｖに、＋０．１Ｖが＋５Ｖにそれぞれ対応し、その間の電圧が線形的に１対１に対応している。また、ソース・ドレイン間電圧Ｖdsが−０．１Ｖよりも低くなった場合、あるいは、＋０．１Ｖよりも高くなった場合には、ＭＯＳ電圧検出部１４３の出力電圧が０Ｖあるいは＋５Ｖにクリップ（固定）されるようになっている。例えば、参照電圧Ｖref’＝２．５Ｖ（Ｖds＝０Ｖ）に設定されている。なお、図５においてＣで示される範囲に含まれるタイミングを正確に判定するためには、参照電圧Ｖref’は＋５Ｖに近い値に設定する必要がある。
【００５９】
通電方向検出部１４４は、ＭＯＳ電圧検出部１４３の出力電圧Ｖds’と参照電圧Ｖref’ とを比較し、Ｖds’がＶref’ よりも低い場合に出力をハイレベルにし、高い場合に出力をローレベルにする。なお、通電方向検出部１４４は、出力をハイレベルにするタイミングを所定期間遅らせるようにしてもよい。一般に、整流器モジュール５Ｘ等の回路のＬＣ成分により、検出したソース・ドレイン間電圧Ｖdsと実際にソース・ドレイン間に流れる電流との間には位相のずれが生じることがある。具体的には、ソース・ドレイン間電圧が０Ｖでも電流は０Ａ以上である場合がある。このような場合を考慮して、ハイレベルに変化するタイミングを所定期間遅らせるようにしてもよい。所定期間としては、例えば相巻線の誘起電圧（相電圧）の周期の１／４に対応する期間が用いられる。
【００６０】
一方のタイミング判定部１４５は、しきい値電圧判定部１４２の出力がローレベルからハイレベルに変化した後、通電方向検出部１４４の出力がハイレベルになったとき、すなわち、ロードダンプ発生に伴って出力電圧ＶＢが第１のしきい値電圧Ｖ１よりも高くなり、かつ、図５（Ｂ）においてＣで示す範囲にあると判定されたときに、出力をハイレベルにする。このタイミング判定部１４５のハイレベルの出力が「保護開始指示」に対応しており、この保護開始指示が出力されると、制御部１００は、ドライバ１７０を駆動してハイサイド側のＭＯＳトランジスタ５０をオフするとともに、ドライバ１７２を駆動してローサイド側のＭＯＳトランジスタ５１をオンすることにより、ロードダンプ発生時の保護動作を開始する。
【００６１】
他方のタイミング判定部１４６は、しきい値電圧判定部１４２の出力がハイレベルからローレベルに変化した後、通電方向検出部１４４の出力がハイレベルになったとき、すなわち、ロードダンプ発生に伴って一旦第１のしきい値電圧Ｖ１を超えた出力電圧ＶＢが再び第２のしきい値電圧Ｖ２よりも低くなり、かつ、図５においてＣで示す範囲にあると判定されたときに、出力をハイレベルにする。このタイミング判定部１４６のハイレベルの出力が「整流再開指示」に対応しており、この整流再開指示が出力されると、制御部１００は、ドライバ１７２を駆動してローサイド側のＭＯＳトランジスタ５１をオフする。以後、制御部１００は、同期整流の制御動作を再開する。
【００６２】
なお、通電方向検出部１４４の出力がハイレベルに変化するタイミングを所定期間遅らせる場合とは、図５においてＣで示す範囲の中央近傍に対応するタイミングをねらう意図である。この点については、２つのタイミング判定部１４５、１４６の両方に当てはまるものである、ハイレベルに変化するタイミングを所定期間遅らせる機能をタイミング判定部１４５、１４６の少なくとも一方にもたせ、これらにおいてこのタイミングの変更を行うようにしてもよい。
【００６３】
このように、本実施形態の車両用発電機１では、ロードダンプ発生時にローサイド側のＭＯＳトランジスタ５１をオンすることでロードダンプ時の高電圧の発生を防止する保護動作を行う場合であって、高電圧の発生が抑制された後に保護動作を解除する動作を、サージ電圧の発生の抑制に適したタイミングの到来を待って行うことにより、サージ電圧が発生するタイミングを避けて通常の整流動作を再開することができ、ロードダンプ時の高電圧発生を迅速に終わらせることが可能となる。また、ハイサイド側のＭＯＳトランジスタ５０とローサイド側のＭＯＳトランジスタ５１からなる直列回路の出力電圧ＶＢが低下するまで下アームのスイッチング素子のオン状態が維持されるため、これらのＭＯＳトランジスタ５０、５１が頻繁にオン／オフを繰り返すことがなく、オン／オフの繰り返しに伴う高電圧の発生がなく、しかも、相巻線に発生したエネルギーを速やかに消滅させることができ、ロードダンプ時の高電圧発生を迅速に終わらせることができる。さらに、保護動作およびその解除動作を行うために必要な構成が各相巻線（各整流器モジュール５Ｘ等）毎に設けられているため、いずれかの相巻線に対応する構成に不具合が発生した場合であっても他の相巻線に対応する構成を用いて保護動作を行うことができ、保護動作の信頼性を向上させることができる。
【００６４】
また、保護動作解除時だけでなく、保護動作に移行する際についても、各相巻線に対応する各整流器モジュール毎に保護動作移行の有無やタイミングが判定され、個別にサージ電圧が発生するタイミングを避けて保護動作を行うことが可能となる。
【００６５】
また、サージ電圧の発生を抑制するタイミングとして、ＭＯＳトランジスタ５１がオンされたときに、このＭＯＳトランジスタ５１に接続された相巻線からこのＭＯＳトランジスタ５１に電流が流れるタイミング（図５においてＡおよびＢで示した範囲）以外のタイミングを設定している。これにより、オンオフ状態が切り替わるＭＯＳトランジスタ５１に接続された相巻線に流れる電流の遮断や急変を防止することができ、相巻線に高いサージ電圧が発生することを抑制することができる。
【００６６】
また、ＭＯＳトランジスタ５１はオン時においても所定のソース・ドレイン間電圧を有するため、この電圧を検出して電流の向きを検出することが可能となり、サージ電圧の発生を抑制するタイミングを確実に判定することができる。
【００６７】
ところで、本実施形態では、保護動作への移行タイミングが各整流器モジュール毎に判定されるため、ロードダンプ発生の原因となる不良箇所（例えば、車両用発電機１の出力端子外れか、バッテリ９の正極端子外れか）やそのときの相電流の大きさ等によっては、１相の相巻線に対応する１つの整流器モジュールのみが保護動作に移行する場合もある。例えば、一方の固定子巻線２について考えた場合に、整流器モジュール５Ｘのみが保護動作に移行し、他の整流器モジュール５Ｙ、５Ｚについては保護動作に移行しない場合がある。このような場合の保護動作中は、整流器モジュール５Ｘのローサイド側のＭＯＳトランジスタ５１のみがオンされ、他の整流器モジュール５Ｙ、５Ｚのローサイド側のＭＯＳトランジスタ５１はオフ状態を継続することになる。このため、オフ状態にある整流器モジュール５Ｙ、５Ｚの下アーム（ローサイド側）については、ＭＯＳトランジスタ５１と並列に接続されたダイオードを介してのみ電流が流れることになり、オン状態にある整流器モジュール５ＸのＭＯＳトランジスタ５１については、ソースからドレインに向かう向き（ＭＯＳトランジスタ５１からＸ相巻線に向けて電流が流れ込む向き）には電流が流れなくなる現象が確認されている。このような場合には、オンされているＭＯＳトランジスタ５１のソース・ドレイン間電圧Ｖdsが０Ｖ以下になる。
【００６８】
図９は、１つの整流器モジュールのみが保護動作に移行した場合のＭＯＳ電圧検出部１４３の出力の具体例を示す図である。図９に示すように、ｔ0 において出力電圧ＶＢが第１のしきい値電圧Ｖ１を超えて１つの整流器モジュールのみが保護動作に移行すると、ＭＯＳ電圧検出部１４３の出力電圧Ｖds’が常に２．５Ｖ（Ｖdsでは０Ｖ）以上を維持することになる。このような場合を想定して、通電方向検出部１４４で用いる参照電圧Ｖref’を２．５Ｖよりも高い参照電圧Ｖref''に置き換えるようにしてもよい。これにより、１つの整流器モジュールのみが保護動作に移行することによって、第１のしきい値電圧Ｖ１を超えたＢ端子電圧が第２のしきい値電圧Ｖ２以下になった場合であっても通常の整流動作に復帰することが可能となる。
【００６９】
また、上述した１つの整流器モジュールのみによる保護動作が行われる現象は、保護動作を解除して通常の整流動作に復帰する場合も起こりうる。すなわち、通常の整流動作に復帰するタイミングも各整流器モジュール毎に判定されるため、３つの整流器モジュールの内の２つについて先に保護動作が解除されると、残り１つの整流器モジュールのみについて保護動作が維持されることになる。このようにして保護動作を維持している整流器モジュールのＭＯＳトランジスタ５１のソース・ドレイン間電圧Ｖdsも０Ｖより低くならない場合があることが確かめられている。
【００７０】
このような場合であっても、既に出力電圧ＶＢが第２のしきい値電圧Ｖ２よりも低くなっているため、図５において示したＣの範囲にあることが明らかな場合にはこのタイミングで通常の整流動作に復帰してもよいことになる。例えば、全ての整流器モジュールによる保護動作中は、通電方向検出部１４４の出力がハイレベルとローレベルを交互に繰り返し、しかも、ローレベルからハイレベルに変化するタイミングが図５においてＣで示された範囲の左端近傍に対応する。保護動作を解除する前後の回転数は、数回転については実質的に一定と考えることができる。したがって、タイミング判定部１４６によって、通電方向検出部１４４の出力がハイレベルに変化する周期Ｔを検出、保持しておいて、Ｂ端子電圧が第２のしきい値電圧Ｖ２よりも低くなる直前に通電方向検出部１４４の出力がローレベルからハイレベルに変化したタイミング（Ｖds’がＶref’よりも低くなった時点）から周期Ｔあるいはその整数倍（２Ｔ等）経過した時点を判定して、タイミング判定部１４６の出力をハイレベルに変化させる（整流再開指示を出力する）ようにしてもよい。同様に、タイミング判定部１４５によって、通電方向検出部１４４の出力がハイレベルに変化する周期Ｔを検出、保持しておいて、出力電圧ＶＢが第１のしきい値電圧Ｖ１を超える直前に通電方向検出部１４４の出力がローレベルからハイレベルに変化したタイミング（Ｖds’がＶref’よりも低くなった時点）から周期Ｔあるいはその整数倍（２Ｔ等）経過した時点を判定して、タイミング判定部１４５の出力をハイレベルに変化させる（保護開始指示を出力する）ようにしてもよい。
【００７１】
ところで、保護動作中に流れる相電流が少ない場合（保護動作に入る直前の励磁電流が少ない場合や回転数が低い場合）には、図５（Ｂ）に示したような相電圧Ｖｐが現れにくくなり、相電圧Ｖｐによる復帰タイミングの判定を行うことが難しくなる。このような場合には強制的に保護動作を解除するようにしてもよい。
【００７２】
図１０は、強制的に保護動作を解除するロードダンプ保護判定部の変形例を示す図である。図１０に示すロードダンプ保護判定部１４０Ａは、Ｂ電圧検出部１４１、しきい値電圧判定部１４２、ＭＯＳ電圧検出部１４３、通電方向検出部１４４、タイミング判定部１４５、１４６、タイマ１４７を備えている。このロードダンプ保護判定部１４０Ａは、図６に示したロードダンプ保護判定部１４０に対して、タイマ１４７が追加された点が異なっている。
【００７３】
図５（Ｂ）に示す例では、ＭＯＳトランジスタ５１がオンされている場合のソース・ドレイン間電圧Ｖdsが−０．１Ｖ〜＋０．１Ｖの範囲で変化するものとしたが、相電流（ソース・ドレイン間電流）が少ない場合にはソース・ドレイン間電圧Ｖdsが小さくなって、復帰準備時にソース・ドレイン間電圧Ｖds’が参照電圧Ｖref’より低くならないことがある。すると、通電方向検出部１４４の出力がハイレベルに変化せず、タイミング判定部１４６の出力もローレベルを維持することになり、整流再開指示が出されなくなる。このような場合を想定して、タイマ１４７が追加されている。
【００７４】
タイマ１４７は、しきい値電圧判定部１４２の出力がハイレベルからローレベルに変化したときに計測を開始し、所定時間経過したときにタイムアップ信号を出力する（例えば出力をローレベルからハイレベルに変化させる）。タイミング判定部１４６は、しきい値電圧判定部１４２の出力がハイレベルからローレベルに変化した後、通電方向検出部１４４の出力がハイレベルになったときに整流再開指示を出力することが基本であるが、通電方向検出部１４４の出力がハイレベルにならなくてもタイマ１４７からタイムアップ信号が出力された場合には整流再開指示を出力する。
【００７５】
タイマ１４７によって計測される所定時間として例えば固定値が用いられる。図５に示した電圧波形から明らかなように、しきい値電圧判定部１４２の出力がハイレベルからローレベルに変化した後、相電圧の１周期Ｔ以内に必ずＣあるいはＤの期間が到来するはずである。したがって、最も周期が長い場合を想定した１周期Ｔ（例えばアイドリング回転に対応する相電圧の１周期）以上の値が、上記所定時間として設定されている。このように、所定時間として固定値を用いることにより、所定時間経過のタイミング判定が容易となる。
【００７６】
なお、上述した説明では、所定時間として固定値を用いたが、保護動作を速やかに解除するためにはこの所定時間は短いほど望ましく、どの程度短くすることができるかは保護動作時の状況（回転数や直前の励磁電流値等）によって異なると考えられるため、所定時間の値を可変設定するようにしてもよい。
【００７７】
図１１は、ロードダンプ保護判定部の他の変形例を示す図である。図１１に示す変形例のロードダンプ保護判定部１４０Ｂは、図１０に示したロードダンプ保護判定部１４０Ａに対してタイマ時間設定部１４８を追加した点が異なっている。タイマ時間設定部１４８は、タイマ１４７においてタイムアップ信号を出力する時間（所定時間）を可変設定する。具体的には、タイマ時間設定部１４８は、保護動作中の通電方向検出部１４４から出力される信号の周期（例えば、ハイレベルからローレベルに変化する周期）を取り込んでタイマ１４７の時間（所定時間）設定を行う。この周期は、相電圧の周期であって、相電圧に基づいて車両用発電機１の回転数を検出していることになる。タイマ時間設定部１４８は、低回転時（周期が長い場合）には所定時間を長く、反対に高回転時（周期が短い場合）には所定時間を短く設定する。この所定時間の可変設定は、回転数（周期）に応じて連続的に滑らかに変化させてもよいし、階段状に不連続に変化させてもよい。
【００７８】
サージ電圧の発生の抑制に適したタイミングは回転数に対応した周期で到来するため、回転数に応じて所定時間の長短を設定することにより、回転数を考慮した短い時間設定が可能となり、早期に保護動作を終了させることができる。特に、回転数の高低を相電圧に基づいて検出することにより、回転数検出のために部品を追加したり、励磁電流を制御する発電制御装置７等との間で信号の入出力を行う必要がなくなるため、構成や配線の簡略化や小型化が可能となる。
【００７９】
図１２は、ロードダンプ保護判定部の他の変形例を示す図である。図１２に示す変形例のロードダンプ保護判定部１４０Ｂ’は、図１１に示したロードダンプ保護判定部１４０Ｂ内のタイマ時間設定部１４８をタイマ時間設定部１４８’に置き換えたものである。制御部１００は、保護動作に入る前は動作検出部１２０、１３０の出力データに基づいて同期整流の制御動作を行っているため、この制御動作に必要な回転数検出を行っている。タイマ時間設定部１４８’は、制御部１００によって検出された回転数Ｎを取り込んでタイマ１４７の時間（所定時間）設定を行う。具体的には、図１１に示したタイマ時間設定部１４８と同様に、低回転時には所定時間が長く、反対に高回転時には所定時間が短く設定される。また、この所定時間の可変設定は、回転数に応じて連続的に滑らかに変化させてもよいし、階段状に不連続に変化させてもよい。
【００８０】
図１３は、ロードダンプ保護判定部の他の変形例を示す図である。図１３に示す変形例のロードダンプ保護判定部１４０Ｃは、図１０に示したロードダンプ保護判定部１４０Ａに対してタイマ時間設定部１４９を追加した点が異なっている。タイマ時間設定部１４９は、タイマ１４７においてタイムアップ信号を出力する時間（所定時間）を可変設定する。具体的には、タイマ時間設定部１４９は、保護動作直前の励磁電流Ｉｆ（Ｄｕｔｙ値または電流指示値等）を制御部１００および通信回路１８０経由で発電制御装置７から取り込んでタイマ１４７の時間（所定時間）設定を行う。タイマ時間設定部１４９は、励磁電流Ｉｆが少ない場合には所定時間を長く、反対に励磁電流Ｉｆが多い場合には所定時間を短く設定する。この所定時間の可変設定は、励磁電流Ｉｆに応じて連続的に滑らかに変化させてもよいし、階段状に不連続に変化させてもよい。
【００８１】
保護動作に入る前の励磁電流が多いということはそれだけロードダンプ時に発生するエネルギーも大きい。したがって、相巻線に流れる電流も多くなり、サージ電圧の発生の抑制に適したタイミングを検出しやすくなると考えられる。反対に、保護動作に入る前の励磁電流が少ないということはそれだけロードダンプ時に発生するエネルギーが少なく、サージ電圧の発生の抑制に適したタイミングを検出しにくくなる。これらを考慮し、励磁電流に応じて所定時間の長短を設定することにより、励磁電流を考慮した短い時間設定が可能となり、早期に保護動作を終了させることができる。
【００８２】
なお、本発明は上記実施形態に限定されるものではなく、本発明の要旨の範囲内において種々の変形実施が可能である。例えば、上述した実施形態では、２つの固定子巻線２、３と２つの整流器モジュール群５、６を備えるようにしたが、一方の固定子巻線２と一方の整流器モジュール群５を備える車両用発電機についても本発明を適用することができる。
【００８３】
また、上述した実施形態では、各整流器モジュール５Ｘ等を用いて整流動作（発電動作）を行う場合について説明したが、ＭＯＳトランジスタ５０、５１のオン／オフタイミングを変更することにより、バッテリ９から印加される直流電流を交流電流に変換して固定子巻線２、３に供給することにより、車両用発電機１に電動動作を行わせるようにしてもよい。
【００８４】
また、上述した実施形態では、２つの整流器モジュール群５、６のそれぞれに３つの整流器モジュールを含ませるようにしたが、整流器モジュールの数は３以外であってもよい。
【００８５】
また、上述した実施形態では、ＭＯＳトランジスタ５１のソース・ドレイン間電圧Ｖdsを検出してその検出値に基づいて保護動作に移行するタイミングあるいは保護動作を解除して通常の整流動作に移行するタイミングを決定したが、ＭＯＳトランジスタ５１を通して流れる電流の向きや値を直接検出して同様のタイミング判定を行うようにしてもよい。例えば、ＭＯＳトランジスタ５１のソース側あるいはドレイン側に電流検出用素子（抵抗等）を挿入し、この素子の両端電圧に基づいて同様の判定を行うようにしてもよい。この場合には、ＭＯＳトランジスタ５１あるいはこれと並列接続されたダイオードを通して相巻線に電流が流れ込むタイミング（図５においてＤで示した範囲）を確実に検出して保護動作への移行あるいは保護動作の解除を行うことができる。これにより、相巻線に流れる電流の遮断や急変を防止することができ、相巻線に高いサージ電圧が発生することを抑制することができる。
【００８６】
また、上述した実施形態では、上アームと下アームの両方にＭＯＳトランジスタを用いたが、下アームのみをＭＯＳトランジスタとし、上アームをダイオードで構成するようにしてもよい。
【００８７】
また、上述した実施形態では、各相巻線に対応する各整流器モジュール毎に、図６に示したロードダンプ保護判定部１４０や同期整流時にＭＯＳトランジスタ５０、５１をオン／オフ制御する構成を設けたが、その中で、ロードダンプ時の保護動作に必要な構成以外（同期整流に必要な構成）については、各整流器モジュール毎に設けるのではなく、全体で１つあるいは整流器モジュール群５、６毎に１つずつ設けるようにしてもよい。
【００８８】
図１４は、同期整流に必要な制御回路を整流器モジュール群５、６毎に設けるようにした変形例の構成を示す図であり、図１に示した一方の固定子巻線２に対応した３個の整流器モジュール５Ｘ、５Ｙ、５Ｚに対応して置き換え可能な構成が示されている。なお、他方の固定子巻線３に対応した３個の整流器モジュール６Ｕ、６Ｖ、６Ｗに対応して置き換え可能な構成についても同様であり、詳細な説明は省略する。
【００８９】
図１４において、固定子巻線２のＸ相巻線に対応して、ＭＯＳトランジスタ５０、５１、ロードダンプ保護判定部１４０Ｘ、制御部１００Ｘ、アンド回路１９０Ｘ、オア回路１９２Ｘ、ドライバ１７０Ｘ、１７２Ｘが設けられている。Ｙ相巻線およびＺ相巻線のそれぞれについても同様の回路が設けられている。
【００９０】
ロードダンプ保護判定部１４０Ｘは、図３および図６に示したロードダンプ保護判定部１４０に対応するものであって、同じ構成を有している。制御部１００Ｘは、図３に示した制御部１００からロードダンプ発生時の保護動作および復帰動作に関連する構成を抜き出したものであり、ロードダンプ保護判定部１４０Ｘの出力に基づいてＭＯＳトランジスタ５０、５１をオン／オフする制御を行う。整流制御回路５４Ａは、図２および図３に示した制御回路５４からロードダンプ保護判定部１４０、ドライバ１７０、１７２および上述した制御回路１００Ｘの機能を取り除いた構成（通常の整流動作の制御に必要な構成）を、固定子巻線２の３つの相巻線分備えている。
【００９１】
保護動作に移行する前は、制御部１００Ｘからアンド回路１９０Ｘの一方の入力端子にハイレベルの信号が入力され、オア回路１９２Ｘの一方の入力端子にローレベルの信号が入力される。したがって、この状態では整流制御回路５４Ａから出力される信号によってドライバ１７０Ｘ、１７２Ｘ等が駆動され、ＭＯＳトランジスタ５０、５１がオン／オフ制御されて整流動作が行われる。
【００９２】
一方、ロードダンプ発生時には、制御部１００Ｘからアンド回路１９０Ｘの他方の入力端子にローレベルの信号が入力され、オア回路１９２Ｘの他方の入力端子にハイレベルの信号が入力される。したがって、上アーム（ハイサイド側）のＭＯＳトランジスタ５０が強制的にオフされ、下アーム（ローサイド側）のＭＯＳトランジスタ５１が強制的にオンされる。このように、固定子巻線２に対応する共通の整流制御回路５４Ａを設け、ロードダンプ保護動作用の構成を各相巻線毎に設けるようにしてもよい。特に、整流動作については、他の相巻線の状態に基づいてフィードバック制御することで、より安定した制御が可能となる。なお、上述した整流制御回路５４Ａによって、２つの固定子巻線２、３の両方に対応する整流制御を行うようにしてもよい。
【００９３】
また、上述した実施形態では、２つの固定子巻線２、３を備える場合について説明したが、これら２つの固定子巻線２、３は共通の出力端子を介して充電線１２に接続されているため、固定子巻線２、３の各相巻線毎にロードダンプ時の保護動作に必要な構成（保護回路）を設ける代わりに、２つの固定子巻線２、３のそれぞれ毎に共通の保護回路を設けるようにしても、出力端子の電圧上昇を抑えるために有効であるといえる。
【００９４】
図１５は、２つの固定子巻線２、３のそれぞれ毎に共通の保護回路を設けるようにした変形例の構成を示す図であり、図１に示した２つの固定子巻線２、３に対応した６個の整流器モジュール５Ｘ、５Ｙ、５Ｚ、６Ｕ、６Ｖ、６Ｗに対応して置き換え可能な構成が示されている。一方の固定子巻線２に対応して設けられたロードダンプ保護判定部１４０−２は、図１４に示した３つのロードダンプ保護判定部１４０Ｘ、１４０Ｙ、１４０Ｚの機能を有している。制御部１００−２は、図１４に示した３つの制御部１００Ｘ、１００Ｙ、１００Ｚの機能を有している。ロードダンプ保護判定部１４０−３、制御部１００−３についても同様であり、他方の固定子巻線３に対応しており、３つのロードダンプ保護判定部１４０Ｘ、１４０Ｙ、１４０Ｚや３つの制御部１００Ｘ、１００Ｙ、１００Ｚと同等の機能を有する。また、整流制御回路５４Ａは、２つの固定子巻線２、３の両方に対応する整流制御を行う。なお、整流制御回路５４Ａは、２つの固定子巻線２、３のそれぞれに対応させて設けるようにしてもよい。このように、図１４および図１５に示すように、整流制御回路５４Ａを複数の相巻線に対応させて設けた場合であっても、ロードダンプ発生時の保護回路を各相巻線毎に、あるいは、２組以上設けることで、信頼性向上が可能となる。
【産業上の利用可能性】
【００９５】
上述したように、本発明によれば、ロードダンプ発生時に下アームのＭＯＳトランジスタ５１をオンすることでロードダンプ時の高電圧の発生を防止する保護動作を行う場合であって、高電圧の発生が抑制された後に保護動作を解除する動作を、サージ電圧の発生の抑制に適したタイミングの到来を待って行うことにより、サージ電圧が発生するタイミングを避けて通常の整流動作を再開することができ、ロードダンプ時の高電圧発生を迅速に終わらせることが可能となる。また、上アームと下アームからなる直列回路の出力電圧が低下するまで下アームのＭＯＳトランジスタ５１のオン状態が維持されるため、このスイッチング素子が頻繁にオン／オフを繰り返すことがなく、オン／オフの繰り返しに伴う高電圧の発生がなく、しかも、相巻線に発生したエネルギーを速やかに消滅させることができ、ロードダンプ時の高電圧発生を迅速に終わらせることができる。さらに、保護動作およびその解除動作を行うために必要な構成が各相巻線毎に設けられているため、いずれかの相巻線に対応する構成に不具合が発生した場合であっても他の相巻線に対応する構成を用いて保護動作を行うことができ、保護動作の信頼性を向上させることができる。
【符号の説明】
【００９６】
１  車両用発電機
２、３  固定子巻線
４  界磁巻線
５、６  整流器モジュール群
５Ｘ、５Ｙ、５Ｚ、６Ｕ、６Ｖ、６Ｗ  整流器モジュール
７  発電制御装置
８  ＥＣＵ
９  バッテリ
１０  電気負荷
１２  充電線
５０、５１  ＭＯＳトランジスタ
５４  制御回路
１００  制御部
１４０  ロードダンプ保護判定部
１４１  Ｂ電圧検出部
１４２  しきい値電圧判定部
１４３  ＭＯＳ電圧検出部
１４４  通電方向検出部
１４５、１４６  タイミング判定部
１４７  タイマ
１４８、１４８’  １４９  タイマ時間設定部
１７０、１７２  ドライバ
【図１】
0005585270.tif 000002
【図２】
0005585270.tif 000003
【図３】
0005585270.tif 000004
【図４】
0005585270.tif 000005
【図５】
0005585270.tif 000006
【図６】
0005585270.tif 000007
【図７】
0005585270.tif 000008
【図８】
0005585270.tif 000009
【図９】
0005585270.tif 000010
【図１０】
0005585270.tif 000011
【図１１】
0005585270.tif 000012
【図１２】
0005585270.tif 000013
【図１３】
0005585270.tif 000014
【図１４】
0005585270.tif 000015
【図１５】
0005585270.tif 000016